【事件の表示】
　特願２００１−２５７０４７「マルチモニタ表示システム、表示プログラム、制御方法および制御プログラム」拒絶査定不服審判事件〔平成１５年　３月　７日出願公開、特開２００３−　６９７６７〕について、次のとおり審決する。
【結　論】
　本件審判の請求は、成り立たない。
【理　由】
１　手続きの経緯・本願発明
　本願は、平成１３年８月２７日の出願であって、平成１８年９月２１日に拒絶査定がされ、これに対して同年１０月２６日に拒絶査定不服審判が請求されるとともに、同年１１月２７日付けで手続補正書が提出されたものである。
　その後、当審において、平成２０年５月１９日付けで拒絶理由が通知され、同年７月２２日付けで手続補正書が提出されたものである。
　
　本願の発明は、平成２０年７月２２日付けの手続補正書により補正された特許請求の範囲の請求項１に記載されたものと認められるところ、その請求項１に記載された発明（以下、「本願発明」という。）は、次のとおりのものである。
「【請求項１】　座標入力面に対して指示物体が入力されたことを検知する表示一体型座標入力装置と、表示装置と、制御装置と、を有するマルチモニタ表示システムであって、
　前記表示一体型座標入力装置は、
　前記座標入力面を形成し、ソフトウェア処理手段が出力した各種ソフトウェアの実行結果を表示する第１表示面と、
　検知した前記指示物体によって入力された座標情報を前記制御装置に対して出力する座標情報出力手段と、
　を備え、
　前記制御装置は、
　前記第１表示面に、前記キャプチャ指示を入力するキャプチャ指示入力領域を表示するソフトウェア処理手段と、
　前記キャプチャ指示入力領域に対して入力された座標に関する情報に基づいて、前記第１表示面に表示された、該第１表示面の全画面の表示内容のキャプチャ指示を入力するキャプチャ指示入力手段と、
　前記キャプチャ指示入力手段によるキャプチャ指示があった場合に、前記第１表示面上に表示された前記キャプチャ指示入力領域を消去し背景を補完する消去補完手段と、
　前記消去補完手段による補完後の前記第１表示面の全画面の表示内容をキャプチャするキャプチャ手段と、
　前記キャプチャ手段によりキャプチャされた表示内容を前記表示装置に対して出力するキャプチャ内容出力手段と、
　を備え、
　前記表示装置は、前記キャプチャ内容出力手段が出力した表示内容を表示する第２表示面を備えたことを特徴とするマルチモニタ表示システム。」
　
２　引用例
　当審の拒絶の理由に引用された特開平４−２０４８９２号公報（以下、「引用例１」という。）には、次の事項が図面とともに開示されている。
　ア　「…、刻一刻と変化する表示出力を停止することなしに表示画面を記録する手段はなく、時間変化する表示画面を効率よく記録することはできないという問題があった。 
 　してみれば、マルチウィンドウシステム下でプログラムを一時停止しウィンドウに対しての出力を停止することになしに、刻一刻と変化する表示画面をあるタイミングで記録できればよい。 
 　本発明の課題は、ウィンドウから他のウィンドウへの画面複写が任意のタイミングでできるようにすることである。（公報第２頁左上欄第３〜１３行）」
　
　イ　「先ず、構成を説明する。第２図はマルチウィンドウ制御装置のブロック図である。この図において、１１は装置全体の制御、並びに後述する表示情報複写処理を含む各種の表示処理を行なうＣＰＵ（中央演算処理回路）であり、ＣＰＵ１１は図示しないＲＯＭに格納されているマイクロプログラムや固定データに従ってマルチウィンドウ制御装置の各種の動作を制御する。ＣＰＵ１１には、画面上の位置決めを行なうポインティングデバイスとしてマウス１２及び通常の入力装置としてキーボード１４が接続されており、オペレータによるマウス１２からのマウス操作信号はマウス制御装置１３を介してＣＰＵ１１に取り込まれ、キーボード１４からのキー操作信号はキーボード制御装置１５を介してＣＰＵ１１に取り込まれる。また、ＣＰＵ１１には、ウィンドウ内に表示されるテキスト情報等が書き込まれるウィンドウメモリ１６とＣＲＴ画面内に表示されるべき各ウィンドウ表示の領域を確保するウィンドウ表示装置１７が接続されており、ウィンドウメモリ１６及びウィンドウ表示装置１７からの出力情報は表示メモリ１８、表示制御１９を介してＣＲＴ（表示手段）２０に出力され、ＣＲＴ２０の画面上に表示される。
また、ＣＰＵ１１にはウィンドウの表示出力を別の新たなウィンドウに複写するように制御する表示情報複写装置２１が接続され、この表示情報複写装置２１はＣＰＵ１１から出力された制御信号によりマルチウィンドウ制御テーブル２２を操作して任意のウィンドウの表示出力を新たなウィンドウに複写するためのウィンドウ制御情報をウィンドウ表示装置１７に出力する。
次に、第３図及び第４図を用いて表示情報複写装置２１、マルチウィンドウ制御テーブル２２について具体的に説明する。第３図（Ａ）〜（Ｄ）はマルチウィンドウの表示状態を示す図であり、第３図（Ａ）は制御しようとするウィンドウＡが表示されている初期状態である。ここで、マウス１２等の外部操作によりウィンドウＡの表示を記録するように指定すると、ウィンドウＡの表示がウィンドウＢを生成したのちにウィンドウＢに複写される。（公報第２頁左下欄第１２行〜第３頁左上欄第１３行）」
　
　ウ　「以上説明したように、本実施例ではマウス１２及びキーボード１４によるキー入力によりウィンドウの表示出力を別の新たなウィンドウに複写するように制御する制御情報が入力されると、表示情報複写装置２１はマルチウィンドウ制御テーブル２２を操作して入力された制御情報に基づいて任意のウィンドウの表示出力を新たなウィンドウに複写するよう任意のウィンドウの表示出力を任意のタイミングで他のウィンドウを生成して複写し、表示を維持するようにしているので、マルチウィンドウシステム下でプログラムを停止しウィンドウに対しての出力を停止することになしに、時間変化する表示画面を記録することが可能となり、マルチウィンドウシステムの操作性を格段に向上させることができる。（公報第４頁左上欄第８行〜右上欄第１行）」
　
　前掲アないしウの記載によると引用例１には、
「画面上の位置決めを行なうポインティングデバイスとしてマウスが接続されており、オペレータによるマウスからのマウス操作信号はマウス制御装置を介してＣＰＵに取り込まれ、該ＣＰＵには、ウィンドウ内に表示されるテキスト情報等が書き込まれるウィンドウメモリとＣＲＴ画面内に表示されるべき各ウィンドウ表示の領域を確保するウィンドウ表示装置が接続されており、ウィンドウメモリ及びウィンドウ表示装置からの出力情報は表示メモリ、表示制御部を介してＣＲＴに出力され、ＣＲＴの画面上に表示されるマルチウィンドウ表示制御装置において、前記ＣＰＵにはウィンドウの表示出力を別の新たなウィンドウに複写するように制御する表示情報複写装置が接続され、マウスの操作によりウィンドウＡの表示を記録するように指定すると、ウィンドウＡの表示がウィンドウＢを生成したのちにウィンドウＢに複写されるマルチウィンドウ表示制御装置。」の発明（以下、「引用発明」という。）が記載されていると認められる。
　
　同じく、当審の拒絶の理由に引用された特開昭６３−１２０３７３号公報（以下、「引用例２」という。）には、次の事項が図面とともに開示されている。
　エ　「一方、上記第３図の処理において、どのウィンドウにもカーソルＣが位置してない場合、処理１４においてｉ＝０が判断される（処理１４のＹ）、この場合、フレームメモリ８の画情報を読み出してハードコピー装置５に送出する（処理１６）、従って、この場合ハードコピー装置５では表示装置４で表示中の画面がそのまま記録されるようになる。
以上のように、本実施例ではマルチウィンドウ表示している複数のウィンドウの中で、ハードコピー装置で記録したいウィンドウ位置にカーソルを移動してハードコピーの要求操作を行なうとき、そのウィンドウの画情報のみを記録する一方、カーソルをどのウィンドウにも位置させないでハードコピー操作を行なうとき、表示中の画面をそのまま記録するようにしている。これにより５表示装置の画面上で他のウィンドウと重なって一部が欠けているようなウィンドウの画情報でも、上記のように操作してその画情報全体を記録できる。また、カーソルをウィンドウ位置に合わせないでハードコピー操作すれば、従来と同様に表示中の画面をそのまま記録できる。
なお、本実施例では入力装置１ではキーを押下してカーソル位置の制御やハードコピーを行うようにしたが、入力装置１にマウスやタブレットあるいはタッチスクリーン等を使用し、他の方法でも上記操作を行なえることは言う迄もない。また、１つのウィンドウの画情報を記録する場合、原寸だけでなく拡大できるようにしてもよい。このような場合、表示装置の画面に一旦１つのウィンドウの原寸コピー、その拡大コピー、画面全体のコピー等を選択するポップアップメニューを表示して、その中から任意のものを指定するようにしてもよい。（公報第４頁右上欄第４行〜左下欄第１６行）」
　
　前掲エの記載によると引用例２には、
「タッチスクリーン（表示一体型座標入力装置）を使用し、ポップアップメニューを一旦表示して、タッチスクリーン画面全体（フレームメモリの画情報）のコピー（キャプチャ）を指定するハードコピー装置」の発明（以下、「引用例２に記載の発明」という。）が記載されていると認められる。
　
３　対比
　本願発明と引用発明とを対比する。
　引用発明の「マウス」は、画面上の位置決めを行なうポインティング（座標入力）デバイスであり、入力された座標情報を出力する「座標情報出力手段」を有することは自明であるから、引用発明と本願発明はともに「座標入力装置」と「座標入力装置によって入力された座標情報を前記制御装置に対して出力する座標情報出力手段」を有するという点で一致する。
　また、引用発明の「ＣＰＵ」、「マウス制御装置」、「ウィンドウ表示装置」及び「表示制御部」等は、全体として「制御装置（ＰＣ：Ｐｅｒｓｏｎａｌ　Ｃｏｍｐｕｔｅｒ）」を構成しているといえるから、引用発明と本願発明はともに、「制御装置を有する表示システム」であるという点で共通する。
　そして、引用発明の「ウィンドウＢ」の表示内容は、マウスの操作による指示に基づき、「ウィンドウＡ」の全画面の表示内容を複写（キャプチャ）したものであるから、「ウィンドウＡ」は、本願発明の「第１表示面」に、「ウィンドウＢ」は、本願発明の「第２表示面」にそれぞれ相当するといえ、「ウィンドウＡ」に「ソフトウェア処理手段が出力した各種ソフトウェアの実行結果」が表示されることは自明のことである。
　また、前述のとおり、引用発明は、マウスの操作による指示に基づき、「ウィンドウＡ」表示内容を複写（キャプチャ）して、「ウィンドウＢ」に表示出力するものであるから、本願発明と同様に、「キャプチャ指示入力手段」、「第１表示面の全画面の表示内容をキャプチャするキャプチャ手段」、「キャプチャ手段によりキャプチャされた表示内容を出力するキャプチャ内容出力手段」及び「前記キャプチャ内容出力手段が出力した表示内容を表示する第２表示面」をそれぞれ備えるものであるといえる。
　
　以上を踏まえると、両者の一致点、相違点は以下のとおりである。
　
【一致点】
「座標入力装置と、制御装置と、を有する表示システムであって、
　ソフトウェア処理手段が出力した各種ソフトウェアの実行結果を表示する第１表示面と、
　座標入力装置によって入力された座標情報を前記制御装置に対して出力する座標情報出力手段と、
　を備え、
　前記制御装置は、
　キャプチャ指示入力手段によるキャプチャ指示があった場合に、
　第１表示面の全画面の表示内容をキャプチャするキャプチャ手段と、
　前記キャプチャ手段によりキャプチャされた表示内容を出力するキャプチャ内容出力手段と、
　を備え、
　前記キャプチャ内容出力手段が出力した表示内容を表示する第２表示面を備えたことを特徴とする表示システム。」
　
【相違点】
　ａ　相違点１
　本願発明は、「座標入力装置」として「座標入力面に対して指示物体が入力されたことを検知する表示一体型座標入力装置」を用い、「検知した前記指示物体によって入力された座標情報を前記制御装置に対して出力する座標情報出力手段」を有しているのに対して、引用発明は「座標入力装置」として「マウス」を用い、マウスの操作により入力された座標情報を制御装置に対して出力する点。
　ｂ　相違点２
　本願発明は、「第１表示面」を表示する表示装置（「表示一体型座標入力装置」）と、「第２表示面」を表示する表示装置（「表示装置」）が別体の「マルチモニタ表示システム」であるのに対して、引用発明は、「第１表示面」と「第２表示面」をともに一つの表示装置に表示させる「マルチウィンドウ表示制御装置」である点。
　ｃ　相違点３
　本願発明は、「第１表示面に、キャプチャ指示を入力するキャプチャ指示入力領域を表示するソフトウェア処理手段」と「前記キャプチャ指示入力領域に対して入力された座標に関する情報に基づいて、前記第１表示面に表示された、該第１表示面の全画面の表示内容のキャプチャ指示を入力するキャプチャ指示入力手段」と「前記キャプチャ指示入力手段によるキャプチャ指示があった場合に、前記第１表示面上に表示された前記キャプチャ指示入力領域を消去し背景を補完する消去補完手段」を有し、補完後の表示内容をキャプチャするのに対して、引用発明におけるキャプチャ指示と全画面の表示内容のキャプチャに関する具体的な構成については特定されていない点。
　
４　当審の判断
　ａ　相違点１について
　「制御装置」に接続される「ポインティングデバイス」として、「マウス」の他にも、表示装置の画面と一体に構成された「タッチスクリーン」が、一般的によく知られており、これを利用して座標情報を出力する手段を構成することは、本願の出願前から既に慣用の技術であるから、引用発明においても、「ポインティングデバイス」として「マウス」の代わりに「座標入力面に対して指示物体が入力されたことを検知する表示一体型座標入力装置」である「タッチスクリーン」を用いることは、当業者が必要に応じて適宜選択できる設計的な事項にすぎない。
　
　ｂ　相違点２について
　「マルチウィンドウ表示」は、１つの表示装置に複数の表示面（ウィンドウ）を表示するため、表示装置の有する表示面積の制約から視認性の問題があることは、自明の技術課題であり、これを解決するために、複数の表示装置を用いることは、表示制御の技術分野においては常套技術である。
　例えば、当審の拒絶の理由に引用された特開昭６３−８８６５号公報に、
「このような点を解決するために、１画面を複数に分割して表示するマルチウィンドウ方式を利用して、例えば関連のある２ページ分の画像情報を同時に表示する装置が開発されている。しかしながら、マルチウィンドウ方式を利用した装置では、２ページ分の画像情報を同時に表示することは可能であるが、表示される１ページ分の表示サイズが小さくなる。このため、部分的に確認したい場合には、表示の拡大処理が必要となり、またその拡大処理に伴って表示画面のスクロールの操作が必要となるなど、操作性が悪化する欠点がある。
…（中略）…
　［発明の構成］
　（問題点を解決するための手段と作用）
　本発明は、ページ単位の画像情報を格納するファイル記憶手段、ページ単位の画像情報の検索を指示する入力手段、検索処理手段、画像表示手段及び画像表示制御手段を備えた画像情報検索装置である。検索処理手段は、入力手段により指示されたページ単位の画像情報をファイル記憶手段から検索する。画像表示手段は、検索処理手段により検索されたページ単位の画像情報をページ単位毎にそれぞれ表示する左右両画面からなる表示装置である。画像表示制御手段は、入力手段により指示された表示モードに応じて、検索処理手段により検索された同一文献で異なる種別の各画像情報をそれぞれ画像表示手段の左及び右の画面に表示するように制御する制御装置である。
このような構成により、例えば関連する文書及び図面の２ページ分の画像情報を検索して、それぞれを独立にしかも同時に表示することが可能となる。（公報第１頁右欄第１５行〜第２頁右上欄第１５行）」と記載されている。
　したがって、引用発明においても、前記常套技術を用いて、「第１表示面」と「第２表示面」を表示する表示装置を別体に構成することは、当業者が必要に応じて適宜なし得たことである。
　
　ｃ　相違点３について
　引用例２に記載の発明の「ポップアップメニュー」は、タッチスクリーン画面全体のコピー（キャプチャ）を指定するものであるから、本願発明の「キャプチャ指示入力領域」に相当するといえ、また、引用例２に記載の発明が「ポップアップメニュー」を表示、キャプチャ指示を実行するために、本願発明と同様な「表示面に、キャプチャ指示を入力するキャプチャ指示入力領域を表示するソフトウェア処理手段」及び「キャプチャ指示入力領域に対して入力された座標に関する情報に基づいて、表示面に表示された、表示面の全画面の表示内容のキャプチャ指示を入力するキャプチャ指示入力手段」を有することは自明である。
　また、前掲エには、「…一旦…、画面全体のコピー等を選択するポップアップメニューを表示して、…」と記載されているように、「ポップアップメニュー」は一時的に表示されるものであって、実際に画面のキャプチャを行う時には、消去される（つまり、フレームメモリ上においては「キャプチャ指示入力領域を消去し背景を補完する」）と解される。
　そして、引用発明と引用例２に記載の発明とは、いずれも表示装置の表示内容を複写（キャプチャ）するという共通の機能を有するものであり、かつ、引用発明に引用例２に記載の発明を適用することについて阻害要因を認められないから、引用発明に引用例２に記載の発明を適用し、「第１表示面に、キャプチャ指示を入力するキャプチャ指示入力領域を表示するソフトウェア処理手段」と「前記キャプチャ指示入力領域に対して入力された座標に関する情報に基づいて、前記第１表示面に表示された、該第１表示面の全画面の表示内容のキャプチャ指示を入力するキャプチャ指示入力手段」と「前記キャプチャ指示入力手段によるキャプチャ指示があった場合に、前記第１表示面上に表示された前記キャプチャ指示入力領域を消去し背景を補完する消去補完手段」を設け、補完後の表示内容をキャプチャするよう構成することは、当業者が容易に想到し得たことである。
　
　また、これらの相違点を総合的に考慮しても、本願発明の奏する効果は、引用例１及び引用例２に記載された発明、慣用技術及び常套技術から想定できる程度のものにすぎず、格別なものとはいえない。
　
５　結論
　以上のとおり、本願発明は、引用例１及び引用例２に記載された発明、慣用技術及び常套技術に基づいて当業者が容易に発明をすることができたものであるから、特許法第２９条第２項の規定により特許を受けることができない。
　したがって、本願は、他の請求項について検討するまでもなく、拒絶すべきものである。
　よって、結論のとおり審決する。